(57)【要約】【課題】  上下に広範囲な形状のエアバッグを迅速に展開することが難しい。【解決手段】  エアバッグ１２の収納部となるシートパッド凹部１７の前面壁１７ａのうち、インフレータ１８のガス噴出口１８ａに整列する部分を含む上下方向での所定範囲Ｌを左右外方に向けた斜面部３０とし、この斜面部の前端３０ａをトリムカバー開裂部位となるトリムカバー２６の縫合部２６ａに整列させている。そして、この斜面部のシートパッド凹部の上下壁１７ｂに連続する縁３０ｂを上下の拡開方向に傾斜させて設けている。【選択図】  図１
2010195337.tif 000002
【特許請求の範囲】
【請求項１】
シートバックのアウタ側部に内蔵されたエアバッグを、インフレータからの発生ガスによるその膨出により、トリムカバー開裂部位からシートバックの前方で展開させるサイドエアバッグ内蔵シートのシートパッド構造において、
上記エアバッグの収納部となるシートパッド凹部の前面壁のうち、インフレータのガス噴出口に整列する部分を含む上下方向での所定範囲を、左右外方に向けた斜面部とし、この斜面部の前端を上記トリムカバー開裂部位に整列させるとともに、この斜面部の、シートパッド凹部の上下壁に連続する縁を、上下の拡開方向に傾斜させたことを特徴とするサイドエアバッグ内蔵シートのシートパッド構造。
【請求項２】
インフレータのガス噴出口が、上下それぞれに設けられた請求項１記載のサイドエアバッグ内蔵シートのシートパッド構造。
【発明の詳細な説明】
【技術分野】
【０００１】
本発明は、シートバックのアウタ側部に内蔵されたエアバッグの膨出をトリムカバーの開裂部位に容易に導出可能とするサイドエアバッグ内蔵シートのシートパッド構造に関する。
【背景技術】
【０００２】
シートバックのアウタ側部にエアバッグを内蔵し、衝突等の発生時、トリムカバーの所定箇所の開裂を伴ってエアバッグを乗員側部に膨出させることにより、乗員をドア等の壁面から保護する構成が、自動車等のシート、特にフロントシートにおいて一般的に知られている。
【０００３】
ここで、この種のシート、いわゆるサイドエアバッグ内蔵シートにおいては、近年、乗員保護範囲の広域化がはかられつつあり、たとえば特開２００８−１２０１４８号公報に開示のように、上部、下部のバッグ部を一体に持つものも知られている。
【先行技術文献】
【特許文献】
【０００４】
【特許文献１】特開２００８−１２０１４８号公報
【発明の概要】
【発明が解決しようとする課題】
【０００５】
ところで、一般的に、エアバッグは、インフレータから噴出したガスによる膨張により、トリムカバーの開裂部位、一般的にはトリムカバーの縫合部を開裂してシートバック前方外部に膨出し展開される。しかしながら、エアバッグユニットの前方側がシートパッド等によってほぼ均質に覆われた形態であると、トリムカバーの開裂部位が特定されず、エアバッグの膨出方向および展開方向が安定化しないため、乗員に対する保護性能に悪影響を及ぼす恐れがある。
【０００６】
また、通常、エアバッグは、トリムカバーの開裂した縫合部の狭い範囲から膨出を開始し、その膨出段階において上下に幅広く展開される。つまり、上下に広範囲の展開形状を有するエアバッグにおいては、そのエアバッグが持つ本来の展開形状への展開が、シートバックの前方外部に膨出してからとなるため、エアバッグの展開初期段階においては、エアバッグの上下部位、つまり乗員腰部や肩部あるいは頭部の保護が十分に得られなくなる恐れが否定できない。
【０００７】
本発明は、上下に広範囲の展開形状を有するエアバッグを迅速、容易に展開可能としたサイドエアバッグ内蔵シートのシートパッド構造の提供を目的としている。
【課題を解決するための手段】
【０００８】
上記の目的のために、請求項１に係る本発明によれば、サイドエアバッグの収納部となるシートパッド凹部の前面壁のうち、インフレータのガス噴出口に整列する部分を含む上下方向での所定範囲を、左右外方に向けた斜面部とし、この斜面部の前端をトリムカバーの開裂部位に整列させるとともに、この斜面部の、シートパッド凹部の上下壁に連続する縁を、上下の拡開方向に傾斜させている。
【０００９】
また、請求項２に係る本発明によれば、インフレータのガス噴出口を上下それぞれに設けている。
【発明の効果】
【００１０】
請求項１に係る本発明では、エアバッグの膨出に伴うトリムカバーの初期開裂位置が、インフレータの噴出口近傍に特定できる。そして、シートパッド凹部の上下壁の斜面によって、エアバッグの初期膨出の上下幅が拡大されるため、上下広範囲でのエアバッグの初期膨出および展開が容易に確保できる。
【００１１】
また、請求項２に係る本発明では、インフレータの上下双方にガス噴出口を配したため、エアバッグの上下部位がより一層展開しやすくなる。
【図面の簡単な説明】
【００１２】
【図１】本発明の一実施例に係るサイドエアバッグ内蔵シートのシートパッド構造におけるシートパッド対応部位の概略縦断面図を示す。
【図２】サイドエアバッグ内蔵シートのシートパッド構造におけるインフレータのガス噴出口近傍位置でのシートパッド対応部位の概略横断面図を示す。
【図３】サイドエアバッグ内蔵シートのシートパッド構造におけるインフレータのガス噴出口近傍位置でのシートパッド非対応部位の概略横断面図を示す。
【図４】エアバッグをシートバックに内蔵した車両用シートの概略斜視図を示す。
【発明を実施するための形態】
【００１３】
エアバッグの収納部となるシートパッド凹部の前面壁のうち、インフレータのガス噴出口に整列する部分を含む上下方向での所定範囲を、左右外方に向けた斜面部とし、この斜面の前端をトリムカバー開裂部位に整列させるとともに、この斜面部の、シートパッド凹部の上下壁に連続する縁を上下の拡開方向に傾斜させている。
【実施例】
【００１４】
以下、図面を参照しながら本発明の実施例を詳細に説明する。
図１は本発明の一実施例に係るサイドエアバッグ内蔵シートのシートパッド構造におけるシートパッド対応部位の概略縦断面図を示す。図２、図３はインフレータのガス噴出口近傍位置でのシートパッド対応部位、非対応部位の概略横断面図をそれぞれ示す。図４はエアバッグをシートバックに内蔵した車両用シートの概略斜視図を示す。
図１〜図３に示すように、本発明のサイドエアバッグ内蔵シートのシートパッド構造１０においては、エアバッグがシートバック１４の左右側部のいずれか、具体的には車両のアウタ側部に規定されたシートパッド１６の凹部１７を収納部としてシートバックに内設されている。
【００１５】
この種のサイドエアバッグ内蔵シートの基本構造自体は、たとえば特開２００８−１２０１４８号公報に開示されているように公知であるため、詳細な説明は省略する。ここでいうエアバッグ１２は、ガスを発生するインフレータ１８と共にエアバッグユニット２０として構成され、たとえば、シートバックフレーム２２のサイドフレーム２４に固定されている。
【００１６】
なお、図１に示すように、この実施例においては、インフレータ１８はその上下双方に噴出口１８ａを有する形態に具体化されている。
【００１７】
ここで、この種のサイドエアバッグ内蔵シートにおいては、シートバック１４のトリムカバー２６の縫合部２６ａが、エアバッグ１２の膨出に伴う開裂部位として規定される（図１〜図４参照）。そして、図１、図３に示すように、この発明においては、エアバッグの収納部となるシートパッド凹部１７の前面壁１７ａのうち、インフレータのガス噴出口１８ａに整列する部分を含む上下方向での所定範囲Ｌをシートバック１４の左右外方に向けた肉抜きによる斜面部３０とし、この斜面部の前端３０ａをトリムカバーの開裂部位となる縫合部２６ａに整列させるとともに、この斜面部のシートパッド凹部の上下壁１７ｂに連続する縁３０ｂを上下の拡開方向に傾斜させて設けている。
【００１８】
なお、図１、図３に示すように、シートパッド凹部１７の所定範囲Ｌ以外の部分は、エアバッグユニット２０の前面を覆う斜面部を持たない形状として残される。
【００１９】
このような構成においては、インフレータのガス噴出口１８ａからのガス噴出に伴うエアバッグ１２の膨出時、エアバッグの対応箇所は、シートパッド凹部の前面壁１７ａによる抵抗のない斜面部３０に導かれる。そのため、この斜面部に整列するトリムカバーの縫合部２６ａをまず破断し、それに追従して縫合部の他の部分を破断することで、エアバッグは図１、図２に二点鎖線で示すようにシートバック１４の前方に膨出し、エアバッグの持つ展開形状に展開される。つまり、シートパッド凹部の前面壁１７ａに形成した斜面部３０がガイドとなり、この斜面部に整列した位置からトリムカバー縫合部２６ａの開裂が始まるため、その開裂位置が特定される。
【００２０】
そして、本発明においては、シートパッド凹部の前面壁１７ａに設けた斜面部３０のシートパッド凹部の上下壁１７ｂに連続する縁３０ｂを上下の拡開方向に傾斜させている。つまり、エアバッグ１２は、上下方向に拡大しながらの膨出をこの斜面部３０の上下傾斜によって補償されるため、その膨出の初期段階から上下方向に拡大しながら展開することが可能になる。従って、乗員腰部や肩部あるいは頭部等に対する保護、つまりドア等の壁面３２からの隔離が迅速に行え、乗員に対する保護性能が向上される。
【００２１】
また、この実施例では、インフレータ１８はその上下双方に噴出口１８ａを有する形態に形成されている。この構成によれば、エアバッグ１２の上下部位に十分な量のガスが噴出されるため、エアバッグの上下部位がより一層展開しやすくなる。
【００２２】
なお、この実施例の形態に限らず、インフレータの噴出口１８ａをその上下のいずれかにのみ配する構成においてもよい。
【００２３】
上述した実施例は、この発明を説明するためのものであり、この発明を何ら限定するものでなく、この発明の技術範囲内で変形、改造などの施されたものも全てこの発明に包含されることはいうまでもない。
【産業上の利用可能性】
【００２４】
一般的には、自動車等のフロントシートに適するとはいえ、ドア等の壁面に隣接して装着されるシートであれば、エアバッグによる保護効果が十分に機能することから、フロントシートに限定されず、たとえば、自動車等のリヤシートのシートバックや、バス等の乗客用シートのシートバックに、本発明のシートパッド構造は応用できる。
【符号の説明】
【００２５】
１０      サイドエアバッグ内蔵シートのシートパッド構造
１２      エアバッグ
１７      シートパッド凹部
３０      斜面部
【図１】
2010195337.tif 000003
【図２】
2010195337.tif 000004
【図３】
2010195337.tif 000005
【図４】
2010195337.tif 000006